【事件の表示】
　上記当事者間の登録第５９０１０１８号商標の商標登録無効審判事件について、次のとおり審決する。
【結　論】
　登録第５９０１０１８号の登録を無効とする。
　審判費用は被請求人の負担とする。
【理　由】
第１　本件商標
　本件登録第５９０１０１８号商標（以下「本件商標」という。）は、「ボンドガール」の片仮名を横書きしてなり、平成２７年１１月４日に登録出願、第４１類「セミナーの企画・運営又は開催」を指定役務として、同２８年１０月５日に登録査定、同年１２月２日に設定登録されたものである。
第２　引用商標
　請求人が、本件商標の登録の無効の理由として引用する商標は、「ボンドガール」の片仮名及び「ＢＯＮＤ　ＧＩＲＬ」の欧文字よりなるもの（以下、これらをまとめて「引用商標」という。）であり、請求人が使用・管理する、映画に登場する女性キャラクターの名称・標章として、世界中で著名であると主張するものである。
第３　請求人の主張
　請求人は、結論同旨の審決を求め、その理由を要旨次のように述べ、証拠方法として、甲第１号証ないし甲第６９号証を提出した。
　１　無効理由の要点
　本件商標は、商標法第４条第１項第７号、同第１５号及び同第１９号に該当するものであるから、同法第４６条第１項の規定により無効とすべきである。
　２　具体的理由
（１）請求人について
　請求人は、全世界における映画作品「００７シリーズ」（以下「００７シリーズ」という。）に関する商標権及び商品化権についての正当な権利者であり、米国のメトロ・ゴールドウィン・メイヤー（ＭＧＭ）グループの一員として同グループに属する様々な企業と「００７シリーズ」についての著作権を共同所有している。
（２）引用商標の著名性について
　ア　「００７シリーズ」
　１９６２年から、スパイ小説家イアン・フレミングの作品の中で生み出されたイギリス秘密情報部員ジェームズ・ボンドを主人公とする映画作品は、この５５年余りの間に２４作品が制作されている。これらの００７シリーズは世界中で公開され人気を博し、それら全ての作品が極めて高い興行成績を残しており、稀にみる成功を収めた映画シリーズのひとつであるということができる（甲３〜甲５）。
　さらに、００７シリーズ第２５作の制作が決まり、平成３１年（２０１９年）４月２５日には、ジェームズ・ボンド役のダニエル・クレイグ、ボンドガール役のレア・セドゥ等主要キャストが集まり制作会見が行われ、待望の最新作が遂に始動した。最新作は令和２年（２０２０年）に公開予定であり、今後００７シリーズ、ジェームズ・ボンド、ボンドガールに対する関心はますます高まるものと考えられる。
　ボンドガール（ＢＯＮＤ　ＧＩＲＬ）は、００７シリーズに登場するボンドの相手役となる女性キャラクター（以下、単に「女性キャラクター」という。）、あるいはその女性キャラクターを演じる女優たちを呼称するために創作された造語であり、女性キャラクターたちはボンドの敵となり得るし、また、ボンドと行動を共にすることもある。
　イ　ボンドガールの紹介記事
　００７シリーズは、人気の映画シリーズであることから、新作が公開されるたびに様々なイベントが開催され、多くの雑誌で００７特集が組まれる。
　ボンドガールは、その容姿、キャラクターなどの圧倒的な魅力から、注目を浴びることが非常に多いため、多くの雑誌でボンドガール特集が組まれる。
　なお、ボンドガールに関連する記事は非常に多いため、２００３年（平成１５年）「００７　ダイ・アナザー・デイ」以降の記事の一部を紹介する。
（ア）００７　ダイ・アナザー・デイ（２００３年）
　ａ　フラウ　平成１５年１月１４日号（甲８）
　表紙には「今こそ、すべての女性は、ボンドガールを目指すべし！」といったタイトルがある。
　同誌には、「歴代ボンドガール大図鑑　ボンドを愛した女たち」というタイトルで、６０年代、７０年代，８０年代、９０年代を彩った１９名のボンドガールが紹介されている。
　また、同誌には、「ボンドガールの歴史を統括した史上最強のボンドガール、ハル・ベリーという女神」というタイトルで、ヒロインのハル・ベリーが紹介されている。
　ｂ　ＳＣＲＥＥＮ　２００３年（平成１５年）４月号（甲９）
　「００７Ｓｐｅｃｉａｌ」という特集が組まれ、「『ダイ・アナザー・デイ』のボンドガール来日」として、ハリー・ベリーとロザムンド・パイクが紹介されている。
　また、特集の中では、「強いボンドガールを演じられて気分は“女性版００７”よ！」「ハリー・ベリー来日」というタイトルで、ハリー・ベリーのインタビューが掲載されており、ハリー・ベリーについては「“ボンドを超えるボンドガール”という形容こそふさわしい彼女に早速インタビュー！」とある。
　さらに、同誌には、「セクシーさを競う／歴代ボンドガールズ」というタイトルで、「ジャマイカのクラブ・アイランドの海岸で、ウルスラ・アンドレス扮するハニー・ライダーがビキニ姿で海中から現れた時、“ボンドガール”という神話は幕を開けた。１９６２年のことだ。以後４０年にも渡って数多くの美女たちがこの称号で呼ばれ、スクリーンの中でそのセクシーさを競ってきた。」「もちろん女優たちにとってはボンドガールは憧れの座だった。“ボンドガールは女優として大成しない”などと陰口をたたかれた事もあったが、今なおこの称号は輝きを失わない。そして時代は２１世紀。ボンドガールも新たな時代に移りつつある。（中略）常に時代の空気を反映しながら、００７シリーズに鮮やかな彩を加えてきたボンドガ一ルたち。彼女たちもまた、さらなる進化を続けているのだ。」とある。
（イ）００７　カジノ・ロワイヤル（２００６年）
　ａ　キネマ旬報　２００６年（平成１８年）１２月上旬特別号（甲１０）
　エヴァ・グリーンのインタビューが掲載されている。
　また、同誌で、映画評論家Ａ氏は、「Ａのボンドガール論＜決定版＞」「“００７と寝る”と見せかけて“時代と寝る”女たち」で、各作品のボンドガールについて触れ、「・・・、時代は変わる。ボンドも変わる。ボンドガールも当然変わる。その時代の女性像の合わせ鏡として、たとえディフォルメした形でも反映してきたのだ。下世話な表現をすれば、ボンドガールは、“００７と寝て”いる、と見せかけて、ちゃんと“時代と寝て”いたのである。」と述べている。
　ｂ　日経エンタテインメント　２００６年（平成１８年）１２月号（甲１１）
　ボンドガールのエヴァ・グリーンが紹介されている。
　「カジノ・ロワイヤル」において「ボンドは原作に近い生身の人間として描かれ、時代とともに『お色気路線』から『戦う強い女』へと変化してきたボンドガールも、初めて等身大の存在になった。」とある。
　ｃ　２００６年（平成１８年）１２月１日に発行された映画パンフレット（甲１２）
　ボンドガール、ヴェスパー・リンドを演じた、エヴァ・グリーンのインタビューが掲載されている。
（ウ）００７　慰めの報酬（２００８年）
　ａ　ＳＣＲＥＥＮ　２００９年（平成２１年）１月号（甲１３）
　「００７　慰めの報酬　マルチ大特集」の中で「非情の世界に生きる主人公たち」として、オルガ・キュリレンコ扮する「カミーユ」が紹介されている。
　同誌には、オルガ・キュリレンコのインタビュー、ジャパンプレミアでファンに手を振るオルガ（ボンドガール）とダニエル・クレイグ（ボンド）の写真が掲載されている。
　ｂ　キネマ旬報　２００９年（平成２１年）１月下旬号（甲１４）
　「今までとは少し違うボンド・ガール」というタイトルで、オルガ・キュリレンコのインタビューが掲載されている。
　ｃ　ＳＣＲＥＥＮ　２００９年（平成２１年）３月号の付録である「００７／慰めの報酬＆ジェームズ・ボンド大百科」（甲１５）
　「強靭な意志を持った新時代のボンドガール」としてオルガ・キュリレンコが紹介されている。
　また、同付録の中の「映画は“女優”で見る！ボンドガール・ベスト１０」では、「００７といえばやっぱりボンドガール。僕なんぞはこれが楽しみでこのシリーズをずっと見ているようなもんだ。ボンドガールは実は時代の合わせ鏡なのである。初期のボンドガールは彩り、お飾り、ときには足手まとい。（中略）しかし、時代とともにボンドガールは００７と同等またはそれ以上の職能女性として描かれることが多くなった。」と述べている。
　ｄ　Ｐｅｎ　２００９年（平成２１年）１月１日・１５日新年合併号（甲１６）の特集付録　「００７　ジェームズ・ボンドのすべて。」
　「相棒か敵か戯れか？ボンドガールたちの系譜。」というタイトルで、「鮮烈な存在感で００７映画をより刺激的にしてくれるボンドガール。果たしてボンドと作品にとって、女たちは何をもたらしてくれるのだろうか？」というサブタイトルで、代表的なボンドガールが紹介され、時代の変遷とともに“ガール”たちのキャラクターが多種多様になっていることをあげられ、いくつかの系譜に分けてボンドガールが紹介されている。
　ｅ　ぴあ　２００９年（平成２１年）２月５日号（甲１７）
　オルガを演じるカミーユについて「同じ“復讐”という言葉でボンドとは結ばれ行動を共に。ボンドガールだが、そういうセクシャルな関わりはナシ！」と紹介されている。
（エ）００７　スカイフォール（２０１２年）
　ａ　週刊文春　２０１２年（平成２４年）１１月１日号（甲１８）
　「美女と車と／アクションの５０年／私たちが愛した／００７」という特集が組まれ、「魅惑のボンドガール／ＢＯＮＤ　ＧＩＲＬ　Ｃｏｌｌｅｃｔｉｏｎ」として、ボンドガールたちが紹介されている。
　ｂ　ＳＣＲＥＥＮ　２０１２年（平成２４年）１１月号（甲１９）
　「００７　伝説のスパイ　ジェームズ・ボンドが駆け抜けた半世紀」というタイトルで、歴代のジェームズ・ボンドが紹介されている。
　「１９９０年代〜」の欄には、「上司が女性になり、ボンドガールも大物が演じるように」とあり、「ゴールデンアイ」でジェームズ・ボンドの上司Ｍが女性（ジュディー・デンチ）になったこと、１８作目「トゥモロー・ネバー・ダイ」では、ボンドガールのミシェール・ヨーがボンド以上に過激なアクションを披露して、決して添え物ではない点が新鮮だったこと、１９作目「ワールド・イズ・ノット・イナフ」では、人気女優ソフィー・マルソーが登場し、大物女優でもボンドガールになる価値を感じ出したこと、「２０００年代〜」の欄には、「ダイ・アナザー・デイ」では、ボンドガールがシリーズ初のオスカー女優ハリー・ベリーであったことが紹介されている。
　ｃ　ＮｅｗｓＷｅｅｋ（ニューズウィーク日本版）　２０１２年（平成２４年）１１月１４日号（甲２０）
　「５０／ジェームズ・ボンド５０年の軌跡」という特集が組まれ、「美女と殺しと爆破の半世紀」というタイトルで、００７シリーズの歴史が年表風に紹介されている。
　ｄ　週刊エコノミスト　２０１２年（平成２４年）１１月２７日号（甲２１）
　「５０周年／００７の魅力」という特集が組まれた。その中には「時代、スポンサーとともに変わる女性、クルマ、小道具」というコラムがあり、００７の魅力を語るとき、忘れてはならないもののひとつとして、魅惑的なボンドガールが挙げられている。
　また、「当初のボンドガールは映画の“華”にすぎなかったが、やがてボンドのパートナー、ライバル、敵などへと役の重みが増していった。」ことなどが述べられている。
　ｅ　ＳＣＲＥＥＮ　２０１３年（平成２５年）１月号（甲２２）
　「シリーズ誕生５０周年記念作／００７／スカイフォール」と大きく書かれた文字とともにボンドとふたりのボンドガールの写真が掲載されている。
　また、同誌には、ボンドガールの欄があり、「男くさい『００７』シリーズに華を添える存在として、なくてはならないボンドガール」とある。
　ｆ　２０１３年（平成２５年）１月１０日に発行された「ＭＡＧＡＺＩＮＥ　ＨＯＵＳＥ　ＭＯＯＫ／００７　ＣＯＭＰＬＥＴＥ　ＧＵＩＤＥ」（甲２３）
　「ボンドガールは永遠に！」という特集が組まれている。
　映画評論家のＫ氏は、００７シリーズに欠かせないのがボンドガール！　とはいうものの、添え物的なニュアンスで語られることも多いボンドガールについて、「真の００７ファンは『ボンドガール』の称号を崇拝する。」と述べ、いくつかの作品の女性キャラクターを紹介し、「最後にひとつだけいいたい。スターダムの登竜門と言われながら、実はその後出世した女優は少ないことをよく揶揄されるが、一度でもボンドガールの歴史に名を連ねただけで、彼女たちは映画ファンから愛を獲得している。もう『永遠の命』を得ているのだ！」と締めくくっている。
　ｇ　ＧＱ　ＪＡＰＡＮ　２０１２年（平成２４年）１２月号（甲２４）
　「ボンドガールは２度美味しい」というタイトルで、「今作は２人の美女がボンドを窮地に陥れる」とある。
　同誌には、ＧＱ　ＵＫが行った、「００７／スカイフォール」のボンドガール、ベレニス・マーロウのインタビューが掲載されている。
　ｈ　ＭＥＮ’Ｓ　ＣＬＵＢ　２０１３年（平成２５年）２月号（甲２５）
　「ジェームズ・ボンドに学ぶ」「“熟男（うれだん）”００７の流儀」というタイトルで、ボンドガールを演じたベレニス・マーロウを緊急取材したという記事が掲載されている。
（オ）００７　スペクター（２０１５年）
　ａ　キネマ旬報　２０１５年（平成２７年）１２月上旬号（甲２６）
　Ｓ氏とＭ氏の対談では、ボンドガールについて、当初のお人好しで、プレイメイト的なボンドガールから、強くて、賢くて、若さに頼らないボンドガールになったこと、この２０年の間にボンドガールはがらりと変わり、フェミニズム寄りになった、というようなことが語られている。
　ｂ　Ｐｅｎ　２０１５年（平成２７年）１２月１５日号（甲２７）
　「元ボンド・ガールが語る、物語を彩る女たち。」というタイトルで、「新作を含めて通算２４作のフィルモグラフィーを誇る００７シリーズを語る上で避けて通れないのがボンドガールの存在だ。」とある。
　「リビング・デイライツ」でボンドガールを演じたマリアム・ダボは、ボンドガールについて、「女性の社会進出など各時代の社会的気運を背景に、その役柄設定も進化を続けている」と語っている。
　また、「セックスシンボルから、女性のロールモデルへ。」というタイトルで「歴代のプロデューサーたちは、刻々と変化する時代のトレンドに敏感で、それを各時代の作品に取り入れてきた。ボンドガールのキャスティングはその最たる例。１９６０年代に代表されるセックスシンボル的存在から、ボンドと肩を並べるプロフェッショナルな女性へと存在感を増していったの」とある。
　ｃ　キネマ旬報　２０１５年（平成２７年）１２月下旬号（甲２８）
　「００７／スペクター」で、００７史上初の５０歳の熟女ボンドガールを演じたモニカ・ベルッチのインタビューが掲載されている。
　彼女は「ボンド・ガールって呼ばれたくないわ、ボンド・ウーマンかボンド・レディにして」と述べている。
　ｄ　ＧＱ　ＪＡＰＡＮ　２０１５年（平成２７年）１２月号（甲２９）
　「ボンド・ガールからボンド・ウーマンへ」というタイトルで、「ボンドの世界に欠かせないのがボンド・ガールの存在だ。ボンドを愛し、翻弄し、命をも狙ってきた彼女たちはいつもその時代の女性像を象徴している。」とある。また、ボンドの長い歴史におけるボンド・ガールの移り変わりを、Ｓ氏が「ボンドの世界を彩るボンドガールたち」として考察し、ボンドガールたちを年表風に紹介している。
　また、同誌には、ＢＯＮＤ　ＧＩＲＬ＃１として、レア・セドゥのインタビュー、ＢＯＮＤ　ＧＩＲＬ＃２として、モニカ・ベルッチのインタビューが掲載されている。
　ｅ　ＳＣＲＥＥＮ　２０１６年（平成２８年）１月号（甲３０）
　ボンドガール、レア・セドゥー及びモニカ・ベルッチのインタビューが掲載されている。
　ｆ　ハーパーズバザー　２０１６年（平成２８年）１・２月合併号（甲３１）
　「００７　スペクター」公開記念として、「ＣＯＤＥ　ＮＵＭＢＥＲ　００７」「“ボンドガール”美しき永遠のアイコン」「いつの時代も見る者をそのインテリジェンスとセンシャリティで魅了するボンドガール。美しさと強さを併せ持つスタイルは永遠の憧れ。」というタイトルで、ボンドガールをイメージしたファッションスナップが掲載されている。
　また、同誌は、「より美しく、知的に、ボンドガールの変遷」「世界一クールなモテ男、ジェームズ・ボンドを魅了する女“ボンドガール”。その華麗な変遷は、スクリーンにおける女優の歴史でもある。」というタイトルで、各時代の代表的なボンドガールを紹介し、時代と共にボンドガールに求められる資質が変わってきたことなどを述べている。
　ウ　各種イベントの開催
（ア）２００８年（平成２０年）１０月２９日、“聖地”オデオン・レスター・スクエアで開催された「慰めの報酬」のロイヤルプレミアには、ボンドガール役のオルガ・キュリレンコがボンドと共に登場した。
　同試写会について、「女王陛下のために開催する、ロンドンの祝祭」という記事が、Ｐｅｎ　２００９年１１月１５日号（甲１６）に掲載された。同誌にはボンドガール役のオルガ・キュリレンコが極寒のロンドンで見事なドレス姿を見せてくれたとある。
（イ）２００８年（平成２０年）１１月２３日、「００７　慰めの報酬」でボンドガールを演じたオルガ・キュリレンコが、東京・オメガブティック青山で「オメガ　シーマスタープラネットオーシャン００７限定モデル」の発表を行った（甲３２）。
（ウ）「００７　慰めの報酬」公開イベントとして、２００９年（平成２１年）１月１２日から２月１５日まで、「ＴＲＩＡＬ　ＴＯ　００７」が開催された。イベントの一環として、銀座ソニービルの外壁にはボンド（ダニエル・クレイグ）とボンドガール（オルガ・キュリレンコ）の大きな垂れ幕が掲げられた（甲３３、甲３４）。
（エ）２０１２年（平成２４年）１０月２３日の「００７　スカイフォール」のロイヤルプレミア（ロンドン）、１０月２５日のパリプレミア、１０月２６日のローマプレミアに、ボンドガール役のベレニス・マーロウがボンドと共に登場した。
　プレミア試写会については、ＭＯＶＩＥ　２０１３年（平成２５年）１月号（甲３５）、ＳＣＲＥＥＮ　２０１３年（平成２５年）１月号（甲２２）及び同２月号（甲３６）で紹介されている。
（オ）「００７　スカイフォール」の公開に合わせて、２０１２年（平成２４年）１１月１９日から１２月７日まで、有楽町の阪急メンズ東京で、「ウインターダンディズム〜００７　ＷＥＥＫ〜」が開催された。１１月１９日には、ボンドガール、ベレニス・マーロウがゲストとして登場した。ベレニス・マーロウの来日については、オンラインの情報サイト（Ｆａｓｈｉｏｎｓｎａｐ．ｃｏｍ）（甲３７）、メールマガジン（Ｗｅｂ　Ｍａｇａｚｉｎｅ　ＯＰＥＮＥＲ）（甲３８）、「ＮＥＷＳ　ＬＯＵＮＧＥ」というサイトで紹介されている（甲３９）。
（カ）「００７　スペクター」の公開を記念して、２０１５年（平成２７年）１１月１６日、六本木ヒルズで「ＴＯＫＹＯ　ＢＯＮＤ　ＧＩＲＬ　ＣＯＬＬＥＣＴＩＯＮ」が開催された。同イベントには、ボンドとボンドガールに扮した有田哲平と道端ジェシカが登壇した（甲４０）。
（キ）２０１５年（平成２７年）１１月、「現在、銀座線や日比谷線をはじめとする東京メトロでは、ハーパーズ×００７のコラボポスターが全車両ジャック中です。」という記事がハーパーズバザーのサイトに掲載された。車内をジャックしたポスターには、ボンドとボンドガールの写真と共に「“ボンドガール”美しき永遠のアイコン」、「今月号の『ハーパーズバザー』はボンドガールが主役」というキャッチコピーがある（甲４１）。
　エ　ＤＶＤ、テレビ放送
　流通メディアの発達に伴い、映画・映像作品については、映画館で上映されるだけでなく、ＤＶＤやテレビ等の様々なメディアを通して二次利用されるのが通例になっているが、００７シリーズもその例外ではなく、映画館で上映後、ＤＶＤの制作（甲４２）や、テレビ放送（２０１０年（平成２２年）３月からＷＯＷＯＷで全２２作品を一挙放送（甲４３）、２０１５年（平成２７年）１月から２０１６年（平成２８年）６月まで、ＢＳジャパンの金曜名画座で２２作品を放送（甲４４））などの、作品の二次利用が行われている。
　これら映画以外の媒体を通じて、００７シリーズ及びその華たる「ボンドガール」が一般家庭にも広くかつ深く浸透していったことはいうまでもない。
　オ　ボンドガールについてのライセンス許諾
　ボンドガールは有名な映画シリーズの人気キャラクターであることから、その名称・標章及び肖像の使用についてのライセンスが多くの会社に許諾されている。
　例えば、請求人は、以下のブランドにボンドガールについてのライセンスを許諾している。
（ア）Ｏ・Ｐ・Ｉ
　ネイル製品トップメーカーであるＯ・Ｐ・Ｉ（アメリカ合衆国カリフォルニア州）は、映画「００７　スカイフォール」（２０１２年）のタイアップキャンペーンとして、映画界で印象に残る美しい女性たち、ボンドガールをイメージした「ボンドガールズ　バイ　オーピーアイ」という商品を発売した。
　商品の箱には「ＢＯＮＤ　ＧＩＲＬＳ」の文字及びボンドガールの肖像が使用されている（甲４５〜甲４７）。
（イ）ＡＶＯＮ（エイボン）
　エイボン化粧品（アメリカ合衆国ニューヨーク州）は、００７シリーズと提携し、「ＢＯＮＤ　ＧＩＲＬ　００７」という名前の香水及びシャワージェルを発売し、商品のイメージキャラクターとして、「００７／慰めの報酬」でボンドガールを演じる英国人女優ジェマ・アータートンを起用した（甲４８〜甲５０）。
　なお、映画．ｃｏｍニュースによれば、今回の提携についてエイボン社側は「ボンドガールは００７シリーズの象徴の一つ。力強く、女性らしく、魅力的なそのエッセンスを我が社の商品に注入できるなんて、喜ばしいこと」とコメントし、００７の制作サイドも、宣伝効果が得られる上、上品なブランドのイメージも植えつけることが出来るため、提携を喜んでいるようだ、とのことである。
　また、エイボンは、「００７　慰めの報酬」の公開に合わせ、オーデパルファム　スプレイを購入した顧客に対し、抽選で５０名に「００７／慰めの報酬」のＤＶＤをプレゼントするというキャンペーンを行った（甲５１）。
（ウ）Ｍａｔｔｅｌ　（マテル）
　バービー人形で有名なマテル（アメリカ合衆国カリフォルニア州）は、請求人よりライセンスを許諾され、２０１０年（平成２２年）に「ドクター・ノオ」、「ゴールドフィンガー」、「死ぬのは奴らだ」、「オクトパシー」「ダイ・アナザー・デイ」などのボンドガールのバービー人形を発売した（甲５２）。
　ボンドガールのバービー人形はオンラインストア楽天で購入可能である（甲５３）。
（エ）Ｃａｒｔａｍｕｎｄｉ（カルタムンディ）
　カードメーカーのカルタムンディ（ベルギー）は、ボンドガールのトランプを発売している。
　トランプのパッケージには「ＢＯＮＤ　ＧＩＲＬＳ」の文字が表示され、カードにはボンドガールたちの肖像が使用されている（甲５４）。
　歴代５５人のボンドガールを集めた５０周年記念スペシャルトランプはトランプ・カジノ専門店「モンテカルロ」のオンラインストアで購入可能である（甲５５）。
（オ）Ｒｉｔｔｅｎｈｏｕｓｅ（リッテンハウス）
　トレーディングカードのメーカーであるリッテンハウス（アメリカ合衆国ペンシルバニア州）は、ボンドガールたちのトレーディングカードを発行している。
　トレーディングカードには「ＢＯＮＤ　ＧＩＲＬＳ」の文字が表示され、ボンドガールたちの肖像が使用されている（甲５６）。
　ボンドガールのトレーディングカードは、海外ショッピングサイト「セカイモン」で購入が可能である（甲５７）。
（カ）Ｔｅ　Ｎｅｕｅｓ（テヌース）
　写真集などアート系の本を出版するテヌース（ドイツ）は、ボンドガールのカレンダーを発行している。カレンダーの表紙には「ＢＯＮＤ　ＧＩＲＬＳ」の文字が表示され、カレンダーにはボンドガールたちの肖像が使用されている（甲５８）。
　ボンドガールのカレンダーはａｍａｚｏｎで購入可能である（甲５９）。
（キ）Ｒｅｖｌｏｎ（レブロン）
　レブロンが、その専属モデル、ハル・ベリーが演じる魅惑のボンドガール「ジンクス」のクール＆セクシーなイメージをふんだんに取り入れた「００７レブロン　カラーコレクション」を限定品として、２００３年（平成１５年）３月７日に発売予定であることが「フラウ（平成１５年１月１４日号）」（甲８）で紹介されている。
　カ　プロダクト・プレイスメント
（ア）００７シリーズとプロダクト・プレイスメント
　近年の映画制作においては映画に商品を提供してその付加価値を高める、いわゆる「プロダクト・プレイスメント」といわれる広告手法が採用されることが多い。映画作品の中で企業の商品が映し出されれば企業側にとっては良い宣伝となる。
　さらに、映画作品のタイトルや登場人物、関連する標章等とともに商品の宣伝・販売を行えば、それらの顧客吸引力を利用して高い宣伝効果・経済効果を得ることも期待できる。一方、映画制作者側にとっても映画制作費用を調達することができるというメリットがある。
　００７シリーズは、その広告効果の高さから、多くのスポンサーにとって、商品を提供したい「夢の作品」ともいわれている（「ＧＱ　ＪＡＰＡＮ（２０１５年（平成２７年）１２月号）」（甲２９））。
　「ＧＱ　ＪＡＰＡＮ（２０１５年（平成２７年）１２月号）」（甲２９）には、「プロダクト・プレイスメントにみる／ボンドの巨大スポンサービジネス」というタイトルで、「ジェームズ・ボンドに“選ばれたい”と思うのはなにも女性だけではない。００７シリーズは、今一番企業が商品を提供したい映画なのである。世界を駆け巡る男は、ビジネススケールも大きい。」とある。
　また、日刊スポーツのオンライン記事（２０１５年（平成２７年）１１月１０日）にも、「今度のボンドはどの商品使う？『００７』広告効果」という記事が掲載されている（甲６０）。一流のスパイが使用する物は世界最高級の証といわれるだけに、００７シリーズには厳選された企業が毎回選ばれているとのことである。
　００７シリーズは作品が公開されるたびに登場する商品が話題になり、大規模なタイアップキャンペーンなども行われるだけに、その広告効果もかなり大きいようである。
（イ）ボンドガールとプロダクト・プレイスメント
　００７シリーズでは、ボンドガールに対してもタイアップは行われている（例えば、「００７／スカイフォール」でボンドガールを演じたベレニス・マーロウは劇中でオメガの「デ　ヴィル　プレステージ」を着用した（甲２５））。
　また、「００７／慰めの報酬」でボンドガールを演じたオルガ・キュリレンコや、ベレニス・マーロウは、来日イベントで、オメガの時計を身につけ登場し、作品と共に作品の公式ウオッチであるＯＭＥＧＡのＰＲもした（甲３９）。
　ジュエリーメーカーのスワロフスキーも、００７シリーズとタイアップを行っており、ボンドガールを演ずる女優にスワロフスキーのジュエリーを提供してきた。同社は、スカイフォール公開時、００７シリーズ５０周年を記念したコレクションを、世界１，０００店のショップで販売した（甲６１、甲６２）。
　「Ｏ．Ｐ．Ｉ．」、「エイボン」、「レブロン」も００７シリーズとタイアップしていたこと、限定商品を販売したことは前述したとおりである。
　なお、映画「００７シリーズ」は、５４年間に２４作品が公開されている。その間新作が公開されるたびに様々な企業とのタイアップキャンペーンが長期間にわたり実施され、幅広い範囲の商品化が行われてきた。「ボンドガール」とのタイアップは単なる単発の映画のタイアップと比較し、各段に大きな宣伝効果・経済効果がある。
　キ　商標登録の状況
　請求人は、莫大な費用と時間を投じてボンドガールに関連するマークを保護するため「ＢＯＮＤ　ＧＩＲＬ」を含む商標「ＢＯＮＤ　ＧＩＲＬ　００７」を３９か国で、「ＢＯＮＤ　ＧＩＲＬ」と女性のシルエットの結合商標を欧州で、「ＢＯＮＤ　ＧＩＲＬ」及び「ボンドガール」を二段に併記した商標を日本で、それぞれ登録を受け、「ＢＯＮＤ　ＧＩＲＬ（ボンドガール）」に化体された業務上の信用の維持に努めている（甲６３、甲６４）。
　ク　まとめ
　以上のとおり、「ボンドガール（ＢＯＮＤ　ＧＩＲＬ）」は１９６２年（昭和３７年）の映画公開時より５５年以上の長きにわたり００７シリーズに不可欠の女性キャラクターとしてスクリーンに登場し、ボンドと共に活躍してきた。ボンドガールについては雑誌等のメディアで多数取り上げられ、また、新作映画公開時の各種イベントへの登場、ボンドガール関連イベントの開催などにより、「ボンドガール」及び「ＢＯＮＤ　ＧＩＲＬ」の名称・標章は、遅くとも本件商標の出願時（平成２７年１１月４日）には、これらの名称・標章に接する者に、００７シリーズ及びその登場人物である女性キャラクターを直ちに想起させる程に著名なものとなっていた。
（３）商標法第４条第１項第１５号の該当性
　本件商標は、００７シリーズの女性キャラクターとして著名である「ボンドガール」あるいは「ＢＯＮＤ　ＧＩＲＬ」を想起させるものである。
　請求人は、化粧品、玩具、遊戯用カードなどを含む様々な商品及びサービスについて、「ＢＯＮＤ　ＧＩＲＬ」及びボンドガールの肖像の使用についてライセンスを許諾している。
　また、請求人は、映画制作において、化粧品、アクセサリー、時計等についてタイアップを行っており、タイアップしたブランドはボンドガールをイメージした限定商品などを販売している。
　本件商標がその指定役務に使用されれば、これに接する取引者・需要者は、当該役務が請求人の業務に係る役務、又は請求人と経済的・組織的に何らかの関係がある者（ライセンシー、映画制作のスポンサーなど）の業務に係る役務であると誤認し、役務の出所について混同する蓋然性が極めて高い。
　「ボンドガール」あるいは「ＢＯＮＤ　ＧＩＲＬ」の名称・標章は、現在のみならず、本件商標が出願された時点においても広く知られていたことはいうまでもない。
　したがって、本件商標は商標法第４条第１項第１５号に該当する。
（４）商標法第４条第１項第１９号の該当性
　本件商標は、我が国をはじめ世界中で００７シリーズの女性キャラクターとして著名である「ボンドガール」あるいは「ＢＯＮＤ　ＧＩＲＬ」と同一あるいは近似する。
　本件商標は、「ボンドガール」よりなるものであり、被請求人が引用商標の存在を知らずに本件商標を採択したものとは考え難い。
　被請求人はウェブサイトを開設しており、そのサブタイトルには「ボンドガール美保　〜人と人を繋ぐ架け橋に〜」とある。
　本件商標が公告された２０１７年前半の同人のウェブサイトのトップページには、映画００７シリーズのガンバレル・シークエンスを想起させる、黒とグレーの渦巻きの模様の中に銃を撃つ仕草をした女性の写真が掲載されていた（甲６６）。
　現在、同写真はウェブサイトから削除されているが、被請求人のブログにはボンドガールを強く意識したものがみられる。例えば、２０１１年（平成２３年）８月２８日のブログには「☆もうそろそろいいんじゃない？」というタイトルで、ボンドガールに扮した女性の写真があり、「もうそろそろオファーが来てもいいと勝手に思い込んでいる　ボンドガールでした・・」「００７の次回作に出る？？・・・とか」といった、つぶやきがあり（甲６７）、本件商標が登録された直後の２０１６年（平成２８年）１２月１１日のブログには【本物？になった】というタイトルで、本件商標の登録証と共に映画００７シリーズのガンバレル・シークエンスを想起させる写真（以前ウェブサイトのトップページにあったもの）がある（甲６８）。また、被請求人のＦａｃｅＢｏｏｋにも上記写真の一部が使用されている（甲６９）。これらの写真は、本件商標が００７シリーズの女性キャラクターである「ボンドガール」を強く意識した上で採択されたことの証左である。００７シリーズが、その広告効果の高さから、多くのスポンサーにとって商品を提供したい「夢の作品」と言われていることなどからすれば、被請求人は、引用商標に化体した名声、信用、顧客吸引力にただ乗りして不正の利益を得る目的、すなわち、不正の目的をもって本件商標を出願したといわざるを得ない。
　「ボンドガール」あるいは「ＢＯＮＤ　ＧＩＲＬ」の名称・標章は、現在のみならず、本件商標が出願された時点においても広く知られていたことは先に述べたとおりである。
　したがって、本件商標は商標法第４条第１項第１９号に該当する。
（５）商標法第４条第１項第７号の該当性
　本件商標は、我が国をはじめ世界中で００７シリーズの女性キャラクターを示すものとして著名である「ボンドガール」あるいは「ＢＯＮＤ　ＧＩＲＬ」を容易に認識させるものであり、被請求人が本件商標を偶然に採択したものとは考え難い。
　また、「ボンドガール」及び「ＢＯＮＤ　ＧＩＲＬ」の名称・標章は００７シリーズの女性キャラクターとして著名であるだけでなく、強い顧客吸引力を獲得した非常に商業的価値の高いものである。被請求人はかかる事実を認識していたにもかかわらず、無断で「ボンドガール」の語を商標権によって永久に独占する目的で本件商標の登録を得たと推認される。このような著名な名称・標章と何らの関係を有しない者が、これを自己の商標として、採択・使用することは、その名称・標章に化体した名声や信用に故なく便乗するものといわざるを得ない。
　かかる商標を登録することは、指定役務について被請求人にその独占的使用を認めることとなり、公正な取引秩序を乱し、ひいては国際信義にも反するものといわざるを得ず、本件商標は公序良俗を害するおそれがある商標に該当すると判断すべきものである。
　「ボンドガール」は００７シリーズにおいて主人公であるジェームズ・ボンドと共に活躍する女性キャラクターである。
　請求人が００７シリーズに関連する商標の正当な権利者であることからすれば、「ボンドガール」についても、請求人以外の者の商標として登録することは国際信義上穏当ではない。
　したがって、本件商標は商標法第４条第１項第７号に該当する。
第４　被請求人の答弁
　被請求人は、何ら答弁していない。
第５　当審の判断
　請求人が本件審判を請求するにつき、利害関係について争いがないから、本案について判断する。
　１　請求人の主張及び提出に係る証拠によれば、以下の事実を認めることができる。
（１）請求人について
　請求人は、小説家イアン・フレミングの作品の中で生み出されたイギリス秘密情報部員ジェームズ・ボンドを主人公とする映画作品「００７シリーズ」に関する商標権及び商品化権についての正当な権利者であり、米国のメトロ・ゴールドウィン・メイヤー（ＭＧＭ）グループの一員として同グループに属する様々な企業と「００７シリーズ」についての著作権を共同所有している。
　また、請求人は、「ＢＯＮＤ　ＧＩＲＬ」を含む商標「ＢＯＮＤ　ＧＩＲＬ　００７」を３９か国で、「ＢＯＮＤ　ＧＩＲＬ」と女性のシルエットの結合商標を欧州で、「ＢＯＮＤ　ＧＩＲＬ」及び「ボンドガール」を二段に併記した商標を日本で、それぞれ登録を受けている（甲６３、甲６４）。
（２）引用商標について
　ア　映画「００７シリーズ」
　スパイ小説家イアン・フレミングの作品の中で生み出されたイギリス秘密情報部員ジェームズ・ボンドを主人公とする映画作品は、１９６２年から現在まで２４作品が制作され、高い興行成績を残しており、第２５作目の最新作は、令和２年（２０２０年）に公開予定である（甲３〜甲６）。
　ボンドガール（ＢＯＮＤ　ＧＩＲＬ）は、００７シリーズに登場するボンドの相手役となる女性キャラクター、あるいはその女性キャラクターを演じる女優たちを呼称するために創作された造語であり、女性キャラクターたちはボンドの敵となり得るし、また、ボンドと行動を共にすることもある。
　イ　「ボンドガール（ＢＯＮＤ　ＧＩＲＬ）」に関する記事（平成１５年以降）
　ボンドガールについては、「フラウ　平成１５年１月１４日号」、「ＳＣＲＥＥＮ　２００３年（平成１５年）４月号」、「キネマ旬報　２００６年（平成１８年）１２月上旬特別号」、「日経エンタテインメント　２００６年（平成１８年）１２月号」、「２００６年（平成１８年）１２月１日に発行された映画パンフレット」、「ＳＣＲＥＥＮ　２００９年（平成２１年）１月号」、「キネマ旬報　２００９年（平成２１年）１月下旬号」、「ＳＣＲＥＥＮ　２００９年（平成２１年）３月号」の付録である「００７／慰めの報酬＆ジェームズ・ボンド大百科」、「Ｐｅｎ　２００９年（平成２１年）１月１日・１５日新年合併号」、「ぴあ　２００９年（平成２１年）２月５日号」、「週刊文春　２０１２年（平成２４年）１１月１日号」、「ＳＣＲＥＥＮ　２０１２年（平成２４年）１１月号」、「ＮｅｗｓＷｅｅｋ（ニューズウィーク日本版）　２０１２年（平成２４年）１１月１４日号」、「週刊エコノミスト　２０１２年（平成２４年）１１月２７日号」、「ＳＣＲＥＥＮ　２０１３年（平成２５年）１月号」、２０１３年（平成２５年）１月１０日に発行された「ＭＡＧＡＺＩＮＥ　ＨＯＵＳＥ　ＭＯＯＫ／００７　ＣＯＭＰＬＥＴＥ　ＧＵＩＤＥ」、「ＧＱ　ＪＡＰＡＮ　２０１２年（平成２４年）１２月号」、「ＭＥＮ’Ｓ　ＣＬＵＢ　２０１３年（平成２５年）２月号」、「キネマ旬報　２０１５年（平成２７年）１２月上旬号」、「Ｐｅｎ　２０１５年（平成２７年）１２月１５日号」、「キネマ旬報　２０１５年（平成２７年）１２月下旬号」、「ＧＱ　ＪＡＰＡＮ　２０１５年（平成２７年）１２月号」、「ＳＣＲＥＥＮ　２０１６年（平成２８年）１月号」、「ハーパーズバザー　２０１６年（平成２８年）１・２月合併号」等の専門誌や雑誌に、ボンドガールを演じた女優のインタビューや写真とともに、ボンドガール及びその変遷や存在感などについての紹介記事が掲載されている（甲８〜甲３１）。
　ウ　「ボンドガール（ＢＯＮＤ　ＧＩＲＬ）」に関するイベント
　２００８年（平成２０年）１０月２９日に“聖地”オデオン・レスター・スクエアで「慰めの報酬」のロイヤルプレミアが開催、２００８年（平成２０年）１１月２３日に「００７　慰めの報酬」でボンドガールを演じたオルガ・キュリレンコが、東京・オメガブティック青山で「オメガ　シーマスタープラネットオーシャン００７限定モデル」を発表、「００７　慰めの報酬」公開イベントとして、２００９年（平成２１年）１月１２日から２月１５日まで、「ＴＲＩＡＬ　ＴＯ　００７」が開催、２０１２年（平成２４年）１０月２３日に「００７　スカイフォール」のロイヤルプレミア（ロンドン）、１０月２５日にパリプレミア、１０月２６日にローマプレミアが開催、２０１２年（平成２４年）１１月１９日から１２月７日まで、有楽町の阪急メンズ東京で、「ウインターダンディズム〜００７　ＷＥＥＫ〜」が開催、２０１５年（平成２７年）１１月１６日に六本木ヒルズで「ＴＯＫＹＯ　ＢＯＮＤ　ＧＩＲＬ　ＣＯＬＬＥＣＴＩＯＮ」が開催され、各イベントには、ボンドガールを演じた女優らが登場するなどした（甲１６、甲３２〜甲４０）。
　エ　映画「００７シリーズ」の二次利用
　「００７シリーズ」は、映画館で上映後、ＤＶＤの制作や、テレビ放送（平成２２年３月からＷＯＷＯＷで全２２作品を一挙放送、平成２７年１月から同２８年６月まで、ＢＳジャパンの金曜名画座で２２作品を放送）などの、作品の二次利用が行われている（甲４２〜甲４４）。
　オ　「ボンドガール（ＢＯＮＤ　ＧＩＲＬ）」に関するライセンス許諾
　請求人は、ネイル製品トップメーカーであるＯ・Ｐ・Ｉ（アメリカ合衆国カリフォルニア州）、エイボン化粧品（ＡＶＯＮ）（アメリカ合衆国ニューヨーク州）、バービー人形で有名なマテル（Ｍａｔｔｅｌ）（アメリカ合衆国カリフォルニア州）、カードメーカーのカルタムンディ（Ｃａｒｔａｍｕｎｄｉ）（ベルギー）、トレーディングカードのメーカーであるリッテンハウス（Ｒｉｔｔｅｎｈｏｕｓｅ）（アメリカ合衆国ペンシルバニア州）、写真集などアート系の本を出版するテヌース（Ｔｅ　Ｎｅｕｅｓ）（ドイツ）及びＲｅｖｌｏｎ（レブロン）等に、ボンドガールに係るライセンスを許諾しており、各メーカーは、ボンドガールをイメージした商品の販売、ボンドガールの肖像や「ＢＯＮＤ　ＧＩＲＬ」の文字の使用、イメージキャラクターとしてのボンドガールを演じた女優の起用等、許諾されたライセンスを活用している（甲４８〜甲５９）。
　カ　「ボンドガール（ＢＯＮＤ　ＧＩＲＬ）」に関するプロダクト・プレイスメント
　映画「００７シリーズ」は、５４年間に２４作品が公開され、その間新作が公開されるたびに様々な企業とのタイアップキャンペーンが長期間にわたり実施され、幅広い範囲の商品化が行われてきた。
　ボンドガールに対してもタイアップは行われており、例えば、「００７／スカイフォール」でボンドガールを演じたベレニス・マーロウは劇中でオメガの「デ　ヴィル　プレステージ」を着用した（甲２５）。
　また、「００７／慰めの報酬」でボンドガールを演じたオルガ・キュリレンコや、ベレニス・マーロウは、来日イベントで、オメガの時計を身につけ登場し、作品と共に作品の公式ウオッチであるＯＭＥＧＡのＰＲもした（甲３９）。
　ジュエリーメーカーのスワロフスキーも、００７シリーズとタイアップを行っており、ボンドガールを演ずる女優にスワロフスキーのジュエリーを提供してきた。同社は、スカイフォール公開時、００７シリーズ５０周年を記念したコレクションを、世界１，０００店のショップで販売した（甲６１、甲６２）。
　「Ｏ．Ｐ．Ｉ．」、「エイボン」、「レブロン」も００７シリーズとタイアップし、限定商品を販売した。
（３）引用商標の著名性について
　上記認定事実からすれば、映画「００７シリーズ」は、１９６２年以降、２４作品が制作され、我が国を含め世界各国において公開され、いずれも高い興行成績を残していることから、世界中に広く知られた映画作品であるということができる。
　そして、作品中の主人公ジェームズ・ボンドの相手役となる女性キャラクターは、「ボンドガール（ＢＯＮＤ　ＧＩＲＬ）」として、各種雑誌に紹介され、各作品の公開時期に合わせた宣伝を兼ねたイベントにおいても注目されていることが認められる。
　また、請求人は、ネイル製品、化粧品をはじめ、人形、カード、カレンダー等を取り扱うメーカーに、引用商標に係るライセンスを許諾しており、各メーカーは、「ボンドガール（ＢＯＮＤ　ＧＩＲＬ）」の顧客吸引力を商品の販売促進に活用していることがうかがわれる。
　そうすると、引用商標は、映画「００７シリーズ」に登場する女性キャラクターの名称として、世界的な知名度を有するに至っているものであり、「００７シリーズ」は、永年にわたり、途切れることなく制作されていることからすれば、その知名度は、現在も継続しているといえる。
　２　商標法第４条第１項第７号の該当性
　上記１のとおり、引用商標は、映画「００７シリーズ」に登場する女性キャラクターの名称として、広く認識されていたことを認めることができる。
　また、前記認定のとおり、請求人は、ネイル製品、化粧品をはじめ、人形、カード、カレンダー等を取り扱うメーカーに、引用商標に係るライセンスを許諾していたことからすれば、「ボンドガール（ＢＯＮＤ　ＧＩＲＬ）」の語が一定の顧客吸引力を有していたことも認めることができる。
　さらに、「ボンドガール（ＢＯＮＤ　ＧＩＲＬ）」は、１９６２年公開の作品「００７　ドクター・ノオ（原題：Ｄｒ．Ｎｏ）」以降、一貫して「００７シリーズ」に登場する女性キャラクターとして描写されており、「ボンドガール（ＢＯＮＤ　ＧＩＲＬ）」の語からは、他の観念を想起するものとは認められない。
　そして、請求人は、我が国を含む世界各国において引用商標に係る商標を登録し、メーカーに対してはライセンス契約によりその使用を許諾するなど、その商業的な価値の維持管理にも努めてきたものとみることができる。
　このような状況の中で、請求人と関わりのない第三者が、最先の商標出願を行った結果、特定の指定役務との関係で当該商標を独占的に使用できるようになり、請求人による使用を排除できる結果となることは、商標登録の更新が容易に認められており、その権利を半永久的に継続することも可能であることなども考慮すると、公正な取引秩序の維持の観点からみても相当とはいい難い。
　被請求人は、引用商標の世界的な知名度、顧客吸引力及び商業的価値の維持に何ら関わってきたものではないから、本件商標の指定役務との関係においてではあっても「ボンドガール」の語の使用の独占を許すことは相当ではなく、本件商標の登録は、公正な取引秩序を乱し、公序良俗を害するものというのが相当である。
　したがって、本件商標は、商標法第４条第１項第７号に該当する。
　３　商標法第４条第１項第１５号及び同第１９号の該当性
（１）商標法第４条第１項第１５号について
　本件商標は、００７シリーズの女性キャラクターとして著名な引用商標と同一又は類似するものであるとしても、引用商標は、請求人の業務に係る商品又は役務を表示するものとして使用する商標ではなく、請求人が本件商標の指定役務を自己の業務として提供している事情もない。
　してみれば、被請求人が本件商標をその指定役務について使用をしても、需要者をして、その役務が他人（請求人）又は同人と経済的、組織的に何らかの関係がある者の業務に係る役務であると誤認し、役務の出所について混同するおそれはないものとみるのが相当である。
　したがって、本件商標は、商標法第４条第１項第１５号に該当しない。　
（２）商標法第４条第１項第１９号について
　本件商標は、００７シリーズの女性キャラクターとして著名な引用商標と同一又は類似するものであるとしても、引用商標は、請求人の業務に係る商品又は役務を表示するものとして使用する商標ではない。
　してみれば、本件商標は、他人（請求人）の業務に係る役務を表示するものとして日本国内又は外国における需要者の間に広く認識されている商標と同一又は類似の商標ということはできないから、本号が適用される要件を欠くものである。
　したがって、本件商標は、商標法第４条第１項第１９号に該当しない。
　４　むすび
　以上のとおり、本件商標は、商標法第４条第１項第１５号及び同第１９号に該当しないものの、同第７号に該当するものであり、その登録は、同条第１項の規定に違反してされたものであるから、同法第４６条第１項の規定により、その登録は無効とするべきである。
　よって、結論のとおり審決する。